(57)【特許請求の範囲】
【請求項１】
人に対面する格子前面と前記格子前面に連設する格子側面とを有する格子を少なくとも一部にもつと共に樹脂を基材とするメッキ格子意匠部品であって、
前記格子側面よりも前記格子前面に厚くなるように積層された金属メッキ層と、前記金属メッキ層に積層されたスモーククリア層とを備えていることを特徴とするメッキ格子意匠部品。
【請求項２】
人に対面する格子前面と前記格子前面に連設する格子側面とを有する格子を少なくとも一部にもつと共に樹脂を基材とする格子意匠部品本体を用い、
前記格子意匠部品本体の格子の前記格子側面よりも前記格子前面に厚くなるように金属メッキ層を積層し、更に、前記金属メッキ層にスモーククリア層を積層してメッキ格子意匠部品を得ることを特徴とするメッキ格子意匠部品の製造方法。
【請求項３】
人に対面する格子前面と前記格子前面に連設する格子側面とを有する格子を少なくとも一部にもつと共に樹脂を基材とするラジエータグリルであって、前記格子側面よりも前記格子前面に厚くなるように積層された金属メッキ層と、前記金属メッキ層に積層されたスモーククリア層とを備えていることを特徴とするラジエータグリル。
【請求項４】
人に対面する格子前面と前記格子前面に連設する格子側面とを有する格子を少なくとも一部にもつと共に樹脂を基材とするラジエータグリル本体を用い、
前記ラジエータグリル本体の格子の前記格子側面よりも前記格子前面に厚くなるように金属メッキ層を積層し、更に、前記金属メッキ層にスモーククリア層を積層してラジエータグリルを得ることを特徴とするラジエータグリルの製造方法。
【発明の詳細な説明】
【０００１】
【発明の属する技術分野】
本発明は格子を少なくとも一部にもつメッキ格子意匠部品（グリル等）及びその製造方法、ラジエータグリル及びその製造方法に関する。
【０００２】
【従来の技術】
ラジエータグリルを例にとって従来技術について説明する。ラジエータグリルは格子を備えている。特開２０００−１８５２５８号公報に示すように、ラジエータグリルの格子全体にメタリック塗装を施した場合には、格子の全体がキラキラ感を有してしまい、光を乱反射するために、満足できる立体感が格子に得られない。
【０００３】
更に実公平３−７４００号公報には、グリルにおいて、横板の上面にメッキ、スパッタリング等の処理を施して鏡面層を形成すると共に、横板の下面にカラー塗料を塗布してカラー層を形成する技術が開示されている。
【０００４】
【発明が解決しようとする課題】
上記した公報に係るラジエータグリルでは、満足できる立体感が格子に得られない。
【０００５】
本発明は上記した実情に鑑みてなされたものであり、格子の一層の立体感を得るのに貢献できるメッキ格子意匠部品及びその製造方法、ラジエータグリル及びその製造方法を提供することを課題とするにある。
【０００６】
【課題を解決するための手段】
第１発明に係るメッキ格子意匠部品は、人に対面する格子前面と格子前面に連設する格子側面とを有する格子を少なくとも一部にもつと共に樹脂を基材とするメッキ格子意匠部品であって、格子側面よりも格子前面に厚くなるように積層された金属メッキ層と、金属メッキ層に積層されたスモーククリア層とを備えていることを特徴とするものである。
【０００７】
第２発明に係るメッキ格子意匠部品の製造方法は、人に対面する格子前面と格子前面に連設する格子側面とを有する格子を少なくとも一部にもつと共に樹脂を基材とする格子意匠部品本体を用い、格子意匠部品本体の格子側面よりも格子前面に厚くなるように金属メッキ層を積層し、更に、金属メッキ層にスモーククリア層を積層してメッキ格子意匠部品を得ることを特徴とするものである。
【０００８】
第３発明に係るラジエータグリルは、人に対面する格子前面と格子前面に連設する格子側面とを有する格子を少なくとも一部にもつと共に樹脂を基材とするラジエータグリルであって、格子側面よりも格子前面に厚くなるように積層された金属メッキ層と、金属メッキ層に積層されたスモーククリア層とを備えていることを特徴とするものである。
【０００９】
第４発明に係るラジエータグリルの製造方法は、人に対面する格子前面と格子前面に連設する格子側面とを有する格子を少なくとも一部にもつと共に樹脂を基材とするラジエータグリル本体を用い、ラジエータグリル本体の格子の格子側面よりも格子前面に厚くなるように金属メッキ層を積層し、更に、金属メッキ層にスモーククリア層を積層してラジエータグリルを得ることを特徴とするものである。
【００１０】
【発明の実施の形態】
本発明によれば、メッキ格子意匠部品は、人に対面する格子前面（意匠前面）と、格子前面に連設する格子側面（意匠側面）とを有する格子をもつ。格子は意匠部として機能できる。格子の格子側面よりも格子前面に厚くなるように金属メッキ層が積層されている。更に、金属メッキ層にスモーククリア層が積層されている。このため格子の格子側面の光反射が抑えられ、格子側面が暗色透明感を呈するものの、格子の格子前面が集中的に光反射するようになる。従って、暗色透明感を与える格子側面を背景として、人に直接対面する格子前面を集中的に光らせることができる。よって、メッキ格子意匠部品の格子の立体感が一層高まる。
【００１１】
メッキ格子意匠部品としては、少なくとも一部に格子をもつと共に樹脂を基材とする意匠部品を意味する。格子は、所定の方向に細い壁体を並設するように延設したものを意味する。格子の延びる方向としては特に限定されず、横方向のみに延びる形態でも、縦方向のみに延びる形態でも、縦方向に延びる部分と横方向に延びる部分とが交差する形態でも、斜め方向に延びる形態でも良い。格子を形成する壁体の厚みは特に限定されるものではない。
【００１２】
代表的なメッキ格子意匠部品としてはグリルを例示できる。グリルは、少なくとも一部に格子をもつ部品を意味する。グリルとしては、一般に人目につく場所に配置される化粧グリルを採用できる。代表的なグリルとしては、車両の前部に位置すると共にラジエータを覆うラジエータグリルを例示できる。更にグリルとしては、脱臭装置のグリル、エアコンのグリル、テープレコーダやラジカセ等の音響装置のグリル、電気電子装置のグリル、建築部品のグリルなどを例示できる。メッキ格子意匠部品を構成する基材となる樹脂としては特に限定されず、熱可塑性樹脂、熱硬化性樹脂を採用できる。具体的には、ＡＢＳ樹脂、アクリル樹脂、ポリカーボネート、ポリプロピレン、塩化ビニル、ポリウレタン等を例示できる。
【００１３】
グリル等のメッキ格子意匠部品の格子は、人に対面するため人の肉眼に視認され易い格子前面と、格子前面に連設する格子側面とをもつ。格子前面は意匠前面として機能できる。格子側面は意匠側面として機能でき、格子前面に対して交差する方向に延びている。
【００１４】
本発明によれば、格子において、格子側面よりも格子前面に厚くなるように金属メッキ層が積層されている。格子側面には金属メッキ層を積層しない場合も含む。格子前面に積層された金属メッキ層の平均厚みを１００とすると、格子側面に積層された金属メッキ層の平均厚みを例えば５０以下、３０以下、２０以下、１０以下とすることができ、場合によっては０とすることができる。
【００１５】
格子前面に積層された金属メッキ層の平均厚みとしては、１０〜１００μｍ程度、殊に１０〜３０μｍ程度にすることができるが、これに限定されるものではない。
【００１６】
金属メッキ層としては金属光沢を発揮できるものであれば良く、クロムメッキ層、ニッケルメッキ層、銅メッキ層、亜鉛メッキ層、金メッキ層、銀メッキ層等を例示できる。金属メッキ層としては、電気メッキで形成した層、無電解メッキで形成した層を例示できる。
【００１７】
樹脂を基材とする格子意匠部品本体に対して電気メッキ処理を施して金属メッキ層を積層する場合には、格子意匠部品本体は樹脂を基材とするため、電気メッキを直接的に行うことができない。このため前処理として、樹脂製の格子意匠部品本体に、金属を基材とする下地メッキ層を無電解メッキ処理等で積層し、樹脂製の格子意匠部品本体の導電化を図ることが好ましい。下地メッキ層としては、１層でも良いし、複数層でも良い。下地メッキ層を形成する場合には、下地メッキ層のうち樹脂製の格子意匠部品本体の上に直接積層される層を無電解メッキ層とすることができる。
【００１８】
更に本発明によれば、格子に積層された金属メッキ層には、スモーククリア層が積層されている。この場合、金属メッキ層にスモーククリア層を直接的に積層しても良いし、または、他の透明層を介して間接的に積層させても良い。スモーククリア層は、透明樹脂に顔料を混ぜた暗色透明層を意味する。透明樹脂としてはアクリル系樹脂を例示できる。顔料としては黒色顔料、赤色顔料、青色顔料のうちの１種または２種以上を採用できる。スモーククリア層を得るにあたっては、スモーククリア層の全体に対して顔料の割合を重量比で８％以下とすることができる。殊に、顔料の種類、メッキ格子意匠部品の用途等に応じて、５％以下、３％以下、１％以下を例示できる。
【００１９】
格子前面に積層されたスモーククリア層の平均厚みとしては、１０〜５０μｍ程度、殊に、２０〜３０μｍ程度にすることができるが、これに限定されるものではない。
【００２０】
【実施例】
以下、本発明を適用した実施例について図面を参照して説明する。
【００２１】
本実施例は、車両に装備されるラジエータを覆うラジエータグリル１に適用した場合である。図１はラジエータグリルを斜め上方から見た外観図を示す。図２はメッキ処理の積層順序を示す要部の模式断面図を示す。ラジエータグリル１は、車両のフロント部分に装備されるため、車両の前部に意匠効果を与える。このラジエータグリル１を構成するラジエータグリル本体２（格子意匠部品本体）のほぼ全域には、格子２５が設けられている。図１に示すように、格子２５は、互いに対面する多数の縦格子部２０と、縦格子部２０と交差すると共に互いに対面する多数の横格子部２１とを有する。なお、縦格子部２０は互いに平行に沿って配置されている。横格子部２１は互いに平行に沿って配置されている。
【００２２】
格子２５は人の肉眼に触れ易いため、意匠部として機能することができる。格子２５は、人に直接的に対面するため人の肉眼に視認され易い格子前面３０（意匠前面）と、格子前面３０に連設する格子側面３３（意匠側面）とをもつ。格子側面３３は、格子前面３０に対して交差する方向に延びており、人の肉眼に直接的には視認されにくい。ラジエータグリル本体２を構成する基材は、樹脂（例えばＡＢＳ樹脂）とされている。
【００２３】
本実施例においては、ラジエータグリル本体２には下地メッキ層２ｃが積層されている。そしてラジエータグリル本体２の下地メッキ層２ｃの上に、金属メッキ層５が積層されている。金属メッキ層５は、格子側面３３よりも格子前面３０に厚くなるように積層されている。金属メッキ層５としてはクロムメッキ層が採用されている。格子前面３０に積層された金属メッキ層５の平均厚みを１００とすると、格子側面３３に積層された金属メッキ層５の平均厚みとしては１０〜５０μｍ程度とされている。格子前面３０に積層された金属メッキ層５の平均厚みは０．０５〜２．０μｍ程度、殊に０．１〜１．２μｍ程度とされている。
【００２４】
更に金属メッキ層５の上には、黒色透明感を出すスモーククリア層６がスプレー塗装等で積層されている。スモーククリア層６は、透明樹脂に顔料を混ぜた暗色透明層を意味する。透明樹脂としてはアクリル樹脂が採用されている。顔料としては黒色顔料（例えばカーボンブラック）が採用されている。スモーククリア層６においては、スモーククリア層６の全体に対して顔料の割合としては、適宜選択されるが、例えば重量比で５〜２０％程度とされている。格子前面３０においてスモーククリア層６の平均厚みは適宜選択されるが、例えば１５〜３０μｍ程度とされている。
【００２５】
本実施例に係るラジエータグリル１を製造するにあたっては、まず、人に対面する格子前面３０と格子前面３０に連設する格子側面３３とを有する格子２５をもつ樹脂製のラジエータグリル本体２を用いる。ラジエータグリル本体２は樹脂製であるため、電気メッキ処理を直接的に行うことはできない。このため前処理として、樹脂製のラジエータグリル本体２に金属製の下地メッキ層２ｃを積層し、樹脂製のラジエータグリル本体２の導電化を図る。下地メッキ層２ｃとしては、１層でも良いし、複数層でも良い。ラジエータグリル本体２を構成する樹脂と金属メッキ層５とは熱膨張率及び熱収縮率がかなり相違するものの、複数層とすれば、熱膨張の差及び熱収縮の差を吸収し易い。なお、下地メッキ層２ｃが複数層である場合には、樹脂製のラジエータグリル本体２の上に直接積層される層を無電解メッキ層とし、残りの層を電気メッキ層とすることができる。
【００２６】
そして、上記した下地メッキ層２ｃを積層したラジエータグリル本体２に対して電気メッキ処理を施す。この場合には、メッキ槽のメッキ液の内にラジエータグリル本体２を浸漬させる。そして図３に模式的に示すように、メッキ液内において、ラジエータグリル本体２の格子前面３０を陽極１００に対面させると共に、ラジエータグリル本体２を陰極２００に電気的に接続する。この状態において、陰極２００と陽極１００との間に通電して電気メッキ処理を行なう。このように電気メッキ処理すれば、ラジエータグリル本体２のうち陽極１００に直接的に対面している格子前面３０においては、金属メッキ層５の積層効率が高いものの、陽極１００に直接的には対面していない格子側面３３においては、金属メッキ層５の積層効率が低い。従って、格子側面３３よりも格子前面３０に厚くなるように金属メッキ層５が積層される。
【００２７】
本実施例においては、更に、金属メッキ層５にスモーククリア層６をスプレー塗装等の塗装手段により積層する。上記した工程を経て、樹脂を基材としつつも金属光沢を有するラジエータグリル１が製造される。
【００２８】
以上説明したように本実施例に係るラジエータグリル１においては、格子２５の格子側面３３よりも格子前面３０に厚くなるように金属メッキ層５が積層されている。更に、黒色透明層であるスモーククリア層６が金属メッキ層５に積層されている。
【００２９】
このため図４及び図５に模式的に示すように、ラジエータグリル１の前方に位置する人に対してラジエータグリル１の格子２５の格子側面３３の光反射が抑えられ、格子の格子側面３３は暗色気味（黒色気味）に人の肉眼に視認される。これに対して、格子２５の格子前面３０は光を高い光反射率で反射するため、格子前面３０が集中的に光るように人の肉眼に視認される。このため従来のラジエータグリルに比べて、格子２５の立体感が一層高まる。
【００３０】
即ち、ラジエータグリル１の格子２５の正面視においては、ラジエータグリル１の格子２５の格子前面３０は輝いて視認され、金属メッキ層５の付き回りが少ない格子側面３３はスモーク色により暗く（黒く）視認される。このため従来のラジエータグリルに比べて、格子２５の立体感が一層高まる。
【００３１】
（その他）
その他、本発明は上記し且つ図面に示した実施例のみに限定されるものではなく、要旨を逸脱しない範囲内で適宜変更して実施できるものである。実施の形態、実施例に記載した語句は、一部であっても各請求項に記載できるものである。なお場合によっては、特許請求範囲の記載から逸脱するものの、格子を有しない意匠部品（モール、アルミホイール等）にも適用することもできる。
【００３２】
（付記）上記した記載から次の技術的思想も把握できる。
（付記項１）スモーククリア層は黒色透明層（暗色透明層）であることを特徴とする各請求項に係るメッキ格子意匠部品及びその製造方法、ラジエータグリル及びその製造方法。
（付記項２）人に対面する意匠前面と前記意匠前面に連設する意匠側面とを有する格子等の意匠部を少なくとも一部にもつと共に樹脂を基材とするメッキ意匠部品であって、前記格子等の意匠部の意匠側面よりも前記意匠前面に厚くなるように積層された金属メッキ層と、前記金属メッキ層に積層されたスモーククリア層とを備えていることを特徴とするメッキ意匠部品。
【００３３】
代表的なメッキ意匠部品としては、車両等のエンブレム、車両のマーク、ラジエータグリル等のグリル、モール、アルミホイール等が例示される。このメッキ意匠部品は樹脂を基材としており、人に対面する格子前面等の意匠前面と、意匠前面に連設する格子側面等の意匠側面とをもつ。このためメッキ意匠部品の前方に位置する人に対して、格子等の意匠部において格子側面等の意匠前面の光反射が抑えられ、格子側面等の意匠側面は暗色気味に人に視認される。これに対して、格子等の意匠部のうち、人に直接的に対面する格子前面等の意匠前面は、光を高い光反射率で反射するため、集中的に輝くように人に視認される。このため従来のメッキ意匠部品に比べて、ラジエータグリル等のメッキ意匠部品の格子等の意匠部の立体感が一層高まる。よって、基材が樹脂であるにもかかわらず、格子の金属光沢感が高まり、意匠性が向上する。
【００３４】
【発明の効果】
本発明に係るラジエータグリル等のメッキ格子意匠部品によれば、格子の格子側面よりも格子前面に厚くなるように金属メッキ層が積層され、更に、金属メッキ層にスモーククリア層が積層されている。このためラジエータグリル等のメッキ格子意匠部品の前方に位置する人に対して、格子の格子側面の光反射が抑えられ、格子の格子側面は暗色気味に人に視認される。これに対して、格子のうち人に直接的に対面する格子前面は、光を高い光反射率で反射するため、集中的に輝くように人に視認される。
【００３５】
このため従来のメッキ格子意匠部品に比べて、ラジエータグリル等のメッキ格子意匠部品の格子の立体感が一層高まり、メッキ格子意匠部品の基材が樹脂であるにもかかわらず、格子の金属光沢感が高まり、意匠性が向上する。
【図面の簡単な説明】
【図１】ラジエータグリルを斜め上方から見た外観図である。
【図２】メッキ処理の積層順序を示す要部の模式断面図である。
【図３】ラジエータグリル本体の格子に金属メッキ層を積層する形態を模式的に示す断面図である。
【図４】格子前面及び格子側面を有する格子の光反射形態を模式的に示す斜視図である。
【図５】格子前面及び格子側面を有する格子の光反射形態を模式的に示す断面図である。
【符号の説明】
図中、１はラジエータグリル（メッキ格子意匠部品）、２はラジエータグリル本体、２５は格子、３０は格子前面、３３は格子側面、５は金属メッキ層、６はスモーククリア層を示す。
【図１】
0003596763.tif 000002
【図２】
0003596763.tif 000003
【図３】
0003596763.tif 000004
【図４】
0003596763.tif 000005
【図５】
0003596763.tif 000006